(57)【要約】【課題】地中に埋め込まれたポールに締結して電気牧柵用の導電ワイヤを保持することができる架線金具を１本のバネ線材で形成して簡素化を図る。【解決手段】電気柵３３用の導電ワイヤ３１を支持する架線金具１を１本のバネ線材を使用して形成し、バネ線材の一端に導電ワイヤ３１を保持するための保持部２１を設け、バネ線材の他端には、保持部２１の近傍においてバネ線材に他端を引っかける引掛け部２２を設け、保持部２１と引掛け部２２の中間位置から引掛け部側にオフセットされた位置に、バネ線材を隙間なく少なくとも２周巻き、内側にできる円柱状空間にポール３０が挿入できるようにしたバネ部２３を設け、架線金具１を全体としてＶ字状又はＩ字状に形成し、引掛け部２２を保持部２３側のバネ線材に係止させると、バネ部２３がポール３０に締結されるようにした。【選択図】図１
2015050966.tif 000002
【特許請求の範囲】
【請求項１】
１本のバネ線材を折り曲げて形成され、地中に埋め込まれたポールに取り付けられて、ワイヤを支持する架線金具であって、
前記バネ線材の一端には、前記ワイヤを保持するための保持部が設けられ、
前記バネ線材の他端には、前記保持部の近傍において前記バネ線材に前記他端を引っかける引掛け部が設けられ、
前記保持部と前記引掛け部の中間位置から前記引掛け部側にオフセットされた位置には、前記バネ線材を隙間なく少なくとも２周巻き、内側にできる円柱状空間に前記ポールが挿入できるようにしたバネ部が設けられ、
前記保持部、引掛け部及び前記バネ部を備えた前記架線金具は全体としてＶ字状又はＩ字状をなし、
前記引掛け部を前記保持部側の前記バネ線材に係止させた状態では、前記引掛け部を前記バネ線材に係止させる前に比べて、前記バネ部の内径が小さくなることを特徴とする架線金具。
【請求項２】
請求項１に記載の架線金具であって、
前記保持部が前記バネ線材を１回巻いたループ形状をしており、前記バネ線材の巻始め部と巻終わり部との間には前記導電ワイヤを通すことが可能な隙間が設けられていることを特徴とする架線金具。
【請求項３】
請求項２に記載の架線金具であって、
前記保持部の自由端部が延長され、延長された部分に少なくとも１つの保持部が更に形成されていることを特徴とする架線金具。
【請求項４】
請求項２に記載の架線金具であって、
前記バネ部と前記引掛け部が係止されるバネ線材の部位との間の部分に、保持部が更に形成されていることを特徴とする架線金具。
【請求項５】
１本のバネ線材を折り曲げて形成され、地中に埋め込まれたポールに取り付けられて、ワイヤを保持する架線金具であって、
前記ワイヤを中央部又は両端部に設けられた保持部で保持する第１の辺と、
前記第１の辺の両端部に接続する平行な２つの第２の辺と、
前記第２の辺の前記第１の辺の反対側の端部が隙間なく少なくとも２周巻かれ、内側にできる円柱状空間が同軸上に並ぶバネ部と、
前記バネ部の前記第２の辺の反対側の端部から延伸され、前記第２の辺の長さより短い長さを備える第３の辺と、
前記第３の辺の自由端部に設けられ、前記自由端部から所定距離離れた位置で直角に折り曲げられた後にＵ字状に折り返されて前記バネ線材を収容可能な引掛け部とを備え、
前記円柱状空間の軸線方向から見て、前記第２の辺と前記第３の辺はＶ字状又はＩ字状をなし、
前記引掛け部を前記第２の辺に係止させた状態では、前記引掛け部を前記第２の辺に係止させる前に比べて、前記バネ部の内径が小さくなることを特徴とする架線金具。
【請求項６】
請求項５に記載の架線金具であって、
前記保持部は前記バネ線材をループ状に一回巻くことによって形成されていることを特徴とする架線金具。
【請求項７】
請求項５に記載の架線金具であって、前記第１の辺の一部が外側に伸ばされた後にバネ線材が二重になるように折り返されて元の位置に戻されて折り返し部に自由端が作られ、バネ線材の二重部分で自由端と隙間Ｓを備える保持部が形成されていることを特徴とする架線金具。
【請求項８】
請求項５から７の何れか１項に記載の架線金具であって、
前記第２の辺に対して前記第１の辺が直交する方向に形成されていることを特徴とする架線金具。
【請求項９】
請求項５から７の何れか１項に記載の架線金具であって、
前記２つの第２の辺が、前記バネ部の軸線に対してそれぞれ反対側に延伸されており、
前記２つのバネ部が隣接位置に設けられており、
前記第１の辺が、前記２つの第２の辺の端部に直交する第４と第５の辺と、前記第４と第５の辺の自由端部を接続する第６の辺から形成されており、
前記第４と第５の辺と前記第６の辺の接続部にそれぞれ保持部が形成されていることを特徴とする架線金具。
【請求項１０】
請求項９に記載の架線金具であって、
前記第６の辺の中間部に、前記バネ部の円柱状空間と軸線を同じにするループ部が設けられていることを特徴とする架線金具。
【請求項１１】
請求項５から７の何れか１項に記載の架線金具であって、
前記２つのバネ部が隣接位置に設けられており、
前記２つの第２の辺が、前記バネ部の軸線に対して同じ角度でそれぞれ反対側に延伸されており、
前記第１の辺が前記２つの第２のバネ部の端部を接続して、前記軸線に対して直交する方向に設けられており、
前記保持部が前記第１の辺と前記第２の辺の接続部にそれぞれ設けられていることを特徴とする架線金具。
【請求項１２】
請求項５から７の何れか１項に記載の架線金具であって、
前記２つの第２の辺が、前記バネ部の軸線に対してそれぞれ反対側に延伸されており、前記第１の辺が前記第２の辺の端部の間に斜めに掛け渡されており、
前記保持部は前記第１の辺と前記第２の辺の接続部にそれぞれ設けられていることを特徴とする架線金具。
【請求項１３】
請求項１２に記載の架線金具であって、
前記第１の辺の斜めになった部分に、更に少なくとも１つの保持部が更に形成されていることを特徴とする架線金具。
【請求項１４】
請求項１から１２の何れか１項に記載の架線金具であって、
前記バネ部の円柱状空間内に、柔軟な絶縁材料で形成されたパイプが保持されていることを特徴とする架線金具。
【請求項１５】
請求項１から１３の何れか１項に記載の架線金具であって、
前記保持部が絶縁部材で被覆されていることを特徴とする架線金具。
【発明の詳細な説明】
【技術分野】
【０００１】
本発明は架線金具に関し、特に電気柵用のワイヤをポールから離れた位置に支持するバネ性を備えた金属を用いた架線金具に関する。
【背景技術】
【０００２】
近年、野山、特に里山において野生動物の生息数が急増し、山に生えた下草や木の実等を食い荒らすと共に、山に餌がなくなると、里山に近接する農村部に現れて農作物を食い荒らすので、営農が困難になった農家が続出している。野生動物の多くは、昼間は山に身を潜め、夜間になると里に下りて来る傾向が強い。農家では野生動物による農産物の被害を防ぐために、防護柵として山際に有刺鉄線やフェンスを設置している。
【０００３】
ところが、野生鹿のような動物は有刺鉄線やフェンスの下に穴を掘り、有刺鉄線やフェンスを掻い潜って農地に侵入するので、農作物の被害を防ぐことが難しかった。そこで、有刺鉄線やフェンスの代わりに、或いは有刺鉄線やフェンスと併用して電気柵が用いられることがある。電気柵は、所定間隔で地中にポール（支柱）を埋め、ポール間にワイヤを張り巡らし、ワイヤに高い電圧を印加して動物を撃退するものである。
【０００４】
このような電気柵については、例えば特許文献１に森や林に生えている樹木を利用して野生動物の侵入を防止する牧柵用架線支持具が提案されている。特許文献１に提案の技術では、林や森の中に生える樹木の幹を杭（ポール）として使用している。そして、硬質合成樹脂製の２００〜３００ｍｍの長さを備えた釘に金属製の架線張設用金具を取り付けて幹に打ち込み、この金具にある輪穴に架線（以後架線はワイヤという）を通して牧柵としている。また、非特許文献１には、野生鹿から農地を守る防護柵の外周に１本の電線を張り巡らす電気柵を設置することにより、野生鹿の侵入を防ぐ効果が飛躍的に高まったことを、長野県が県内の牧草地で行った実証試験で明らかにしたことが記載されている。
【先行技術文献】
【特許文献】
【０００５】
【特許文献１】実開平１−６７２５７号公報
【非特許文献】
【０００６】
【非特許文献１】日本農業新聞２０１０年３月１５日号第１面の記事
【発明の概要】
【発明が解決しようとする課題】
【０００７】
ところが、非特許文献１に開示の電気柵は、フェンスの外側９０ｃｍの地点に太い杭を打ち込み、この杭の地上から４５ｃｍの地点に高電圧の銅電線を張り巡らすものであったので、電気柵の設置や張り替えに手間がかかるという課題があった。
【０００８】
本発明はこのような前記従来の電気柵用のワイヤの設置の手間の課題を解消し、細いポールにワンタッチで取り付け、取り外しができ、施工が容易であると共に耐久性に優れ、設置や張り替えの手間を省くことができる架線金具を提供することを目的とする。
【課題を解決するための手段】
【０００９】
前記目的を達成する本発明の実施形態の一観点によれば、１本のバネ線材を折り曲げて形成され、地中に埋め込まれたポールに取り付けられて、ワイヤを支持する架線金具であって、バネ線材の一端には、ワイヤを保持するための保持部が設けられ、バネ線材の他端には、保持部の近傍においてバネ線材に他端を引っかける引掛け部が設けられ、保持部と引掛け部の中間位置から引掛け部側にオフセットされた位置には、バネ線材を隙間なく少なくとも２周巻き、内側にできる円柱状空間にポールが挿入できるようにしたバネ部が設けられ、保持部、引掛け部及びバネ部を備えた架線金具は全体としてＶ字状又はＩ字状をなし、引掛け部を保持部側のバネ線材に係止させた状態では、引掛け部をバネ線材に係止させる前に比べて、バネ部の内径が小さくなることを特徴とする架線金具が提供される。
【００１０】
また、前記目的を達成する本発明の実施形態の他の観点によれば、１本のバネ線材を折り曲げて形成され、地中に埋め込まれたポールに取り付けられて、ワイヤを保持する架線金具であって、ワイヤを中央部又は両端部に設けられた保持部で保持する第１の辺と、第１の辺の両端部に接続する平行な２つの第２の辺と、第２の辺の第１の辺の反対側の端部が隙間なく少なくとも２周巻かれ、内側にできる円柱状空間が同軸上に並ぶバネ部と、バネ部の第２の辺の反対側の端部から延伸され、第２の辺の長さより短い長さを備える第３の辺と、第３の辺の自由端部に設けられ、自由端部から所定距離離れた位置で直角に折り曲げられた後にＵ字状に折り返されてバネ線材を収容可能な引掛け部とを備え、円柱状空間の軸線方向から見て、第２の辺と第３の辺はＶ字状又はＩ字状をなし、引掛け部を第２の辺に係止させた状態では、引掛け部を第２の辺に係止させる前に比べて、バネ部の内径が小さくなることを特徴とする架線金具が提供される。
【発明の効果】
【００１１】
本発明の架線金具によれば、細いポールにワンタッチで取り付け、取り外しができ、施工が容易であると共に耐久性に優れ、設置や張り替えの手間を省くことができるという効果がある。また、バネ材の折り曲げ形状を工夫することにより、複数の導電線を保持することが可能で、背丈の異なる様々な野生動物に対応できる電気柵を作れるという効果がある。更に、ポールの高い位置に架線金具を取り付けて電気柵を形成すれば、電気柵のワイヤ直下の下草の刈り取り作業が楽に行えるという効果もある。
【図面の簡単な説明】
【００１２】
【図１】（ａ）は本発明の第１の実施例の電気柵用の架線金具の平面図、（ｂ）は（ａ）に示した架線金具を矢印Ａ方向から見た側面図、（ｃ）は架線金具の引掛け部の変形実施例を示す部分図である。
【図２】（ａ）は本発明の第１の実施例の電気柵用の架線金具の引掛け部を保持部側のバネ線材に係止させた状態を示す平面図、（ｂ）は（ａ）に示した架線金具を矢印Ｂ方向から見た側面図である。
【図３】（ａ）は図１（ａ）に示した第１の実施例の架線金具のパネ部をポールに取り付ける状態を示す斜視図、（ｂ）は（ａ）に示した第１の実施例の架線金具の引掛け部を保持部側のバネ線材に係止させてポールに固定した状態を示す斜視図である。
【図４】本発明の第１の実施例の架線金具の使用例を示す斜視図である。
【図５】（ａ）は本発明の第２の実施例の電気柵用の架線金具のパネ部をポールに取り付ける状態を示す斜視図、（ｂ）は（ａ）に示した第２の実施例の架線金具の引掛け部を保持部側のバネ線材に係止させてポールに固定した状態を示す斜視図、（ｃ）は第２の実施例の架線金具の保持部の変形実施例を示す部分図である。
【図６】（ａ）は本発明の第３の実施例の電気柵用の架線金具の構造及びポールへの取付状態を示す側面図、（ｂ）は本発明の第４の実施例の電気柵用の架線金具の構造及びポールへの取付状態を示す側面図、（ｃ）は本発明の第５の実施例の電気柵用の架線金具の構造及びポールへの取付状態を示す側面図、（ｄ）は本発明の第６の実施例の電気柵用の架線金具の構造及びポールへの取付状態を示す側面図、（ｅ）は本発明の第７の実施例の電気柵用の架線金具の構造及びポールへの取付状態を示す側面図、（ｆ）は本発明の第８の実施例の電気柵用の架線金具の構造及びポールへの取付状態を示す側面図である。
【図７】（ａ）は本発明の第９の実施例の電気柵用の架線金具の構造及びポールへの取付状態を示す側面図、（ｂ）は本発明の第１０の実施例の電気柵用の架線金具の構造及びポールへの取付状態を示す側面図、（ｃ）は本発明の第１１の実施例の電気柵用の架線金具の構造及びポールへの取付状態を示す側面図、（ｄ）は本発明の第１２の実施例の電気柵用の架線金具の構造及びポールへの取付状態を示す側面図、（ｅ）は本発明の第１３の実施例の電気柵用の架線金具の構造及びポールへの取付状態を示す側面図、（ｆ）は本発明の第１４の実施例の電気柵用の架線金具の構造及びポールへの取付状態を示す側面図である。
【図８】（ａ）は第１の実施例の架線金具のバネ部に絶縁パイプを取り付けた変形実施例を示す側面図、（ｂ）は第１の実施例の架線金具の保持部を絶縁チューブで被覆した変形実施例を示す側面図、（ｃ）は第１の実施例の架線金具のバネ部に絶縁パイプを取り付け、保持部を絶縁チューブで被覆した変形実施例を示す側面図である。
【図９】（ａ）は本発明の第１の実施例の架線金具を農地を囲むフェンスのフェンスポールに直接取り付けてワイヤを張設した状態を示す図、（ｂ）は本発明の第１の実施例の架線金具のバネ部が矩形状に巻かれている変形実施例を示す平面図である。
【発明を実施するための形態】
【００１３】
以下、添付図面を用いて本発明の実施の形態を、具体的な実施例に基づいて詳細に説明する。
【００１４】
図１（ａ）は本発明の第１の実施例の電気柵用の架線金具１を平面視したものであり、図１（ｂ）は図１（ａ）に示した架線金具１を矢印Ａ方向から見たものである。架線金具１は１本のバネ線材２０を曲げ加工することによって形成されており、保持部２１、引掛け部２２及びバネ部２３を備えている。バネ部２３は保持部２１と引掛け部２２の間にあり、保持部２１とバネ部２３の間にある辺Ｈの長さの方が、引掛け部２２とバネ部２３の間にある辺ｈの長さよりも長い。即ち、バネ部２３は、保持部２１と引掛け部２２の中間位置から引掛け部２２側にオフセットされた位置にある。また、辺ｈと辺Ｈは一直線上に配置されても良いが、第１の実施例ではバネ部２３を中心にして、辺ｈと辺Ｈとは鋭角をなしている。
【００１５】
保持部２１は電気柵を形成する導電ワイヤ（図示せず）を保持するためのものであり、辺Ｈの自由端にループ状に設けられている。保持部２１はバネ線材２０の巻始め部と巻終わり部との間には導電ワイヤを通すことが可能な隙間Ｓを開けて１回だけ周回させたループ状に形成されている。従って、導電ワイヤはその途中の部分を張設方向に対して横向きにしてこの隙間Ｓを通し、通した後で向きを張設方向に戻せば保持部２１のループの中に挿通されて保持される。保持部２１を形成するために、バネ線材２０はどちらの向きに周回させても良い。引掛け部２２は、辺ｈの自由端に設けられており、バネ線材２０が保持部２１側に直角に折り曲げられた後に、Ｕ字状に折り曲げられて形成される。バネ線材２０をＵ字状に折り曲げる向きは上向きでも下向きでも構わないが、Ｕ字状に折り曲げられた部分の内側にバネ線材２０が入るように折り曲げる。
【００１６】
バネ部２３は、バネ線材２０を上下方向に隙間なく３周程度巻き、内側に円柱状空間Ｐが存在するようにして形成する。この時、円柱状空間Ｐの内径Ｄは、架線金具１のバネ部２３に挿通するポールの直径よりも僅かに大きく形成する。架線金具１を取り付けるポールの直径が大きい時は、バネ部２３に形成する円柱状空間Ｐの内径Ｄを大きくすれば良い。即ち、バネ部２３は架線金具１を取り付けるポールの直径に合わせて形成することができる。また、バネ部２３から辺ｈと辺Ｈを一直線上に配置しても良いが、辺ｈと辺Ｈとを接近させるために大きな力が必要になるので、第１の実施例ではバネ部２３を中心にして、辺ｈと辺ＨとをＶ字状に配置している。なお、引掛け部２２は、図１（ｃ）に示すように、自由端部を更に折り曲げて、辺Ｈに係止させた後に外れ難くする外れ止め部２６を設けても良い。
【００１７】
図２（ａ）は本発明の第１の実施例の電気柵用の架線金具１の引掛け部２２を保持部２１側の辺Ｈに係止させた状態を平面視したものであり、図２（ｂ）は図２（ａ）に示した架線金具１を矢印Ｂ方向から見たものである。この状態は、図１（ａ）、（ｂ）に示した辺ｈが辺Ｈに近づけられ、辺ｈの先端部にある引掛け部２２が辺Ｈに係止させられた状態を示すものである。引掛け部２２が辺Ｈに係止させられると、辺ｈと辺Ｈはバネ線材２０で構成されているので、図２（ａ）に示すように、湾曲した状態となる。また、この時のバネ部２３の円柱状空間Ｐの内径ｄは、引掛け部２２が辺Ｈに係止していない時のバネ部２３の円柱状空間Ｐの内径Ｄに比べて小さくなる。実測の結果、引掛け部２２の係止前の円柱状空間Ｐの内径Ｄが１１ｍｍの時に、引掛け部２２の係止後の円柱状空間Ｐの内径ｄは１０．５ｍｍになった。このように、引掛け部２２を辺Ｈに係止させると、バネ部２３の円柱状空間Ｐの内径が縮むので、バネ部２３が強固にポールに固定されるのである。バネ部２３の円柱状空間Ｐの内径が縮んだ時に、バネ部２３を強固にポールに固定するために、バネ部２３におけるバネ線材２０の巻き数は少なくとも２周巻いた方が良い。
【００１８】
図３（ａ）は図１（ａ）、（ｂ）に示した第１の実施例の架線金具１のパネ部２３をポール３０に取り付ける状態を示すものである。ポール３０は予め電気柵を設置する領域に設置されていても、架線金具１を取り付けてから地面に設置しても良い。ポール３０の先端部は地面に埋め込み易いようにテーパ状になっているものとする。また、ポール３０は、架線金具１の保持部２１に保持したワイヤの被覆が破れて電流が架線金具１に流れた場合でも、電流が地面に流れないように絶縁部材で作られている。架線金具１は、引掛け部２２を辺Ｈに係止しない状態で、バネ部２３の円柱状空間Ｐをポール３０に挿通する。そして、架線金具１がポール３０への取り付け位置まで来たら、引掛け部２２を辺Ｈに係止すると、バネ部２３がポール３０に強固に固着し、図３（ｂ）に示す状態になる。この状態で、保持部２１に電気柵のワイヤを前述のようにして挿通することができる。
【００１９】
図４は、本発明の第１の実施例の架線金具１の使用例を示すものである。農地４０の周囲には、有刺鉄線４１が杭４２に掛け渡された防護柵４３が設けられている。本発明の架線金具１を使用した電気柵３３はこの防護柵４３の外周に張り巡らして設置することができる。電気柵３３を防護柵４３の外周に張り巡らせる場合には、まずポール３０を防護柵４３から離した位置に所定間隔で埋め込む。ポール３０の径は１０ｍｍ程度で良いので、ポール３０は容易に地面に埋め込んで設置することができる。次いで、図３（ａ）、（ｂ）で説明した手順で本発明の架線金具１をポール３０に取り付け、保持部２１にワイヤ３１を挿通してこれをパワーユニット３２に接続すれば、電気柵３３が出来上がる。
【００２０】
本発明の架線金具１はポール３０への取り付け、取り外しが簡単であるので、電気柵３３の設置後も、架線金具１のポール３０への取り付け位置の変更が容易に行える。以上、本発明の第１の実施例の架線金具１を説明したが、以後の実施例の説明においても、保持部には符号２１を付し、引掛け部には符号２２を付し、バネ部には符号２３を付して説明する。
【００２１】
図５（ａ）は本発明の第２の実施例の電気柵用の架線金具２の構造及び架線金具２のパネ部２３をポール３０に取り付ける状態を示すものである。第２の実施例の架線金具２も１本のバネ線材２０を用いて形成されており、第１の実施例の架線金具１が２つ、保持部２１の位置で保持部２１を共通にして接合された形状をしている。即ち、第２の実施例の架線金具２は、１つの保持部２１と２つの引掛け部２１と２つのバネ部２３を備えて形成される。
【００２２】
２つのバネ部２３は、内部に形成される円柱状空間Ｐが、所定間隔を隔てて同軸上に位置するように配置される。辺ｈは２つのバネ部２３の巻始め部から同じ方向に、平行に延伸されて形成され、先端部にそれぞれ引掛け部２１が形成されている。一方、２つのバネ部２３の巻終わり部から延伸された辺Ｈの端部は、引掛け部２１よりも遠い位置まで延伸された後に夫々他の辺Ｈに近づく方向に直角に折り曲げられる。そして２つの折り曲げ部の間の中間位置において、ワイヤを保持するための１つの保持部２１が形成される。
【００２３】
２つのバネ部２３には１本のポール３０が挿通され、架線金具１がポール３０への取り付け位置まで達した時に、引掛け部２１の各個が辺Ｈにそれぞれ係止されると、図５（ｂ）に示すように、バネ部２３がポール３０に締結され、架線金具１がポール３０に取り付けられる。第２の実施例の電気柵用の架線金具２では、ポール３０に締結するバネ部２３が２か所にあるので、架線金具２のポール３０に対する取付強度が大きい。
【００２４】
なお、第１の実施例の架線金具１では、保持部２１に自由端部と隙間Ｓがあるので、ワイヤの端部を保持部２１のループ内に挿入しなくても、ワイヤを横にして隙間Ｓを通すことによりワイヤを保持部２１に保持させることが可能である。一方、第２の実施例の架線金具２では、保持部２１の両端部が辺Ｈに接続されているので、ワイヤの端部を保持部２１のループ内に挿入しないと、ワイヤを保持部２１に保持させることができない。そこで、第２の実施例の架線金具２の保持部２１を、図５（ｃ）に示すように、バネ線材が二重になるように折り返して自由端を作り、バネ線材の折り返し部分で自由端と隙間Ｓを備える保持部２１を形成する。このようにすれば、ワイヤ３１を辺Ｈに平行にして保持部２１の隙間Ｓを通過させ、矢印方向に回転させれば、ワイヤ３１の端部を保持部２１のループ内に挿入せずに、ワイヤ３１を保持部２１に保持させることが可能になる。
【００２５】
以上本発明の架線金具の基本的な２種類の構造について説明したが、本発明の架線金具はこの２種類の架線金具の構造を基本として、数多くの実施例が可能である。そこで、図６、図７を用いて本発明の架線金具の第３の実施例から第１４の実施例を説明する。第３から第８実施例がバネ部２３を１つ備える第１の形態の実施例であり、第９から第１４の実施例がバネ部２３を２つ備える第２の形態の実施例である。しかし、第１から第１４の実施例の構造はあくまで一例であり、本発明の架線金具の構造はこれらの実施例に限定されるものではない。
【００２６】
図６（ａ）は本発明の第３の実施例の架線金具３の構造及びポール３０への取付状態を示すものである。第３の実施例の架線金具３は、第１の実施例の架線金具１の保持部２１の先に２つ目の保持部２１が設けられた構造をしている。２つ目の保持部２１は、架線金具３のポール３０への取り付け位置から下側に設けられている。よって、第３の実施例の架線金具３では、ポール３０に縦方向に平行な２本のワイヤを取り付けることができる。
【００２７】
図６（ｂ）は本発明の第４の実施例の架線金具４の構造及びポール３０への取付状態を示すものである。第４の実施例の架線金具４は、第３の実施例の架線金具３の２つ目の保持部２１の下に３つ目の保持部２１が設けられた構造をしている。よって、第４の実施例の架線金具４では、ポール３０の高さを高くすることによって、ポール３０に縦方向に平行な３本のワイヤを取り付けることができる。
【００２８】
図６（ｃ）は本発明の第５の実施例の架線金具５の構造及びポール３０への取付状態を示すものである。第５の実施例の架線金具５は、第１の実施例の架線金具１の保持部２１の先の水平方向の位置に、２つ目と３つ目の保持部２１が設けられた構造をしている。よって、第５の実施例の架線金具５では、ポール３０に水平方向に平行な３本のワイヤを取り付けることができる。
【００２９】
図６（ｄ）は本発明の第６の実施例の架線金具６の構造及びポール３０への取付状態を示すものである。第６の実施例の架線金具６は、第１の実施例の架線金具１の保持部２１の先が斜め下方向に延長され、その延長部はポール３０を超えた位置まで延長されて、その先に２つ目の保持部２１が設けられた構造をしている。２つ目の保持部２１は、架線金具６のポール３０への取り付け位置とポール３０を挟んで下側に設けられている。よって、第６の実施例の架線金具６では、ポール３０の内側と外側にそれぞれ取付高さの異なる２本のワイヤを取り付けることができる。
【００３０】
図６（ｅ）は本発明の第７の実施例の架線金具７の構造及びポール３０への取付状態を示すものである。第７の実施例の架線金具７は第６の実施例の架線金具６の変形実施例であり、１つ目の保持部２１から斜め下方向に延長されたバネ線材のポール３０との交差部分にループ状の位置決め部２４が設けられた構造をしている。位置決め部２４のループの内径はポール３０の直径より大きく形成しておき、第７の実施例の架線金具７のバネ部２３をポール３０に挿通する前にポール３０に挿通すれば良い。第７の実施例の架線金具７に設けられた位置決め部２４により、架線金具７をポール３０に取り付けた後に、２番目の保持部２１が大きく動かないようにすることができる。
【００３１】
図６（ｆ）は本発明の第８の実施例の架線金具８の構造及びポール３０への取付状態を示すものである。第８の実施例の架線金具８は、第１の実施例の架線金具１の保持部２１の手前に２つ目の保持部２１が設けられた構造をしている。２つ目の保持部２１は、引掛け部２２の係止位置よりもバネ部２３側に設けられている。よって、第８の実施例の架線金具８では、ポール３０に水平方向に平行な２本のワイヤを取り付けることができる。
【００３２】
図７（ａ）は本発明の第９の実施例の架線金具９の構造及びポール３０への取付状態を示すものである。第９の実施例の架線金具９は、第２の実施例の架線金具２の保持部２１が、２本の辺Ｈの中間位置に設けられていたのに対して、各辺Ｈの先端部に保持部２１がそれぞれ設けられた構造をしている。即ち、第１の実施例の架線金具１が上下方向に重ねられて２つの保持部２１の先端部同士が連結された構造をしている。よって、第９の実施例の架線金具９では、ポール３０の高さ方向に平行な２本のワイヤを取り付けることができる。
【００３３】
図７（ｂ）は本発明の第１０の実施例の架線金具１０の構造及びポール３０への取付状態を示すものである。第１０の実施例の架線金具１０は、第６の実施例の架線金具６の２つ目の保持部２１の先がポール３０方向に延長され、その延長部に引掛け部２２とバネ部２３が設けられた構造をしている。よって、第１０の実施例の架線金具１０では、ポール３０の内側と外側に高さの異なる２本のワイヤを取り付けることができる。
【００３４】
図７（ｃ）は本発明の第１１の実施例の架線金具１１の構造及びポール３０への取付状態を示すものである。第１１の実施例の架線金具１１は、第１０の実施例の架線金具１０の変形実施例であり、第１０の実施例の架線金具１０に設けられた２つの保持部２１を斜めに接続するバネ線材に更に２つの保持部２１が追加された構造をしている。追加された２つの保持部２１はポール３０の両側に位置している。よって、第１１の実施例の架線金具１１は、第１０の実施例の架線金具１０と同様に、ポール３０の内側と外側に高さの異なる２本ずつワイヤを取り付けることができる。
【００３５】
図７（ｄ）は本発明の第１２の実施例の架線金具１２の構造及びポール３０への取付状態を示すものである。第１２の実施例の架線金具１２は、ポール３０の上部に、第３の実施例の架線金具３が、保持部２１をポール３０の内側と外側に向けて２つ重ねて取り付けられ、下側の保持部２１の先端部がバネ線材で連結された構造をしている。よって、第１２の実施例の架線金具１２は、ポール３０の内側と外側に、それぞれ高さの異なる２本のワイヤを取り付けることができる。
【００３６】
図７（ｅ）は本発明の第１３の実施例の架線金具１３の構造及びポール３０への取付状態を示すものである。第１３の実施例の架線金具１３は第１２の実施例の架線金具１２の変形実施例であり、下側の２つの保持部２１を連結するバネ線材に、ポール３０を大きく周回するループ部２５が設けられた構造をしている。ループ部２５の内径はポール３０の直径より遥かに大きく形成しておき、第１３の実施例の架線金具１３のバネ部２３をポール３０に挿通する前にポール３０に挿通すれば良い。第１３の実施例の架線金具１３に設けられたループ部２５により、架線金具１３をポール３０に取り付けた後に、架線金具１３のポール３０に対する搖動範囲を制限することができる。
【００３７】
図７（ｆ）は本発明の第１４の実施例の架線金具１４の構造及びポール３０への取付状態を示すものである。第１４の実施例の架線金具１４はポール３０の上部に、第１の実施例の架線金具１が、保持部２１をポール３０の内側と外側に向けて２つ重ねて取り付けられ、更に、バネ部２３と辺Ｈを、辺Ｈが斜め下を向くようにバネ部２３に接続したものである。そして、辺Ｈは通常より長く形成されてその先にそれぞれ保持部２１が設けられ、２つの保持部２１の先端部がバネ線材で連結された構造をしている。よって、第１４の実施例の架線金具１４は、ポール３０の内側と外側に、それぞれ同じ高さの２本のワイヤを取り付けることができる。２つの保持部２１を接続するバネ線材に、第１３の実施例と同様のループ部を設けても良い。
【００３８】
本発明の架線金具１〜１４はバネ線材で作られているので、保持部２１に保持したワイヤから電流が漏れても地面に流れないようにするために、架線金具１〜１４を取り付けるポール３０は絶縁体で作られている。一方、例えば、図８（ａ）に示すように、第１の実施例の架線金具１のバネ部２３に、柔らかい絶縁部材から作られた絶縁パイプ２７を取り付けておけば、架線金具１を導電性を有するポールにも取り付けることができる。同様に、例えば、図８（ｂ）に示すように、第１の実施例の架線金具１の保持部２１を絶縁チューブ２８で被覆すれば、架線金具１を導電性を有するポールにも取り付けることができる。更に、図８（ｃ）に示すように、第１の実施例の架線金具１のバネ部２３に絶縁部材から作られた絶縁パイプ２７を取り付けると共に、保持部２１も絶縁チューブ２８で被覆することが可能である。以上のような方法により、本発明の架線金具１〜１４は金属製等の導電性のポールにも設置可能である。
【００３９】
図９（ａ）は本発明の第１の実施例の架線金具１を、農地を囲むフェンス３４のフェンスポール３５に直接取り付けてワイヤ３１を張設した実施例を示すものである。そして、この場合、本発明の架線金具１は、フェンスポール３５の高い位置に取り付け可能であるので、ワイヤ３１の直下の雑草３６を、ワイヤ３６に邪魔されることなく簡単に刈ることができる。このように、本発明のこのように、本発明の架線金具１〜１４は、既存のポールにも設置が可能である。
【００４０】
なお、以上説明した実施例では、本発明の架線金具１〜１４におけるバネ部２３は全て断面が円形のポールに取り付けるように円形に巻かれているが、図９（ｂ）に示すように、バネ部２３を矩形状に巻いて形成すれば、角注状のポールにも設置が可能である。
【００４１】
以上説明した架線金具１〜１４に使用されるワイヤ３１としては、直径が１．６ｍｍ、２．０ｍｍ及び２．５ｍｍの高張力鋼線を用いることができる。
【符号の説明】
【００４２】
１〜１４    本発明の実施例の架線金具
２０    バネ線材
２１    保持部
２２    引掛け部
２３    バネ部
２４    位置決め部
２５    ループ部
３０    ポール
３１    ワイヤ
３３    電気柵
Ｓ    隙間
Ｐ    円柱状空間
【図１】
2015050966.tif 000003
【図２】
2015050966.tif 000004
【図３】
2015050966.tif 000005
【図４】
2015050966.tif 000006
【図５】
2015050966.tif 000007
【図６】
2015050966.tif 000008
【図７】
2015050966.tif 000009
【図８】
2015050966.tif 000010
【図９】
2015050966.tif 000011